(57)【要約】【課題】一対の部材同士を外れにくくすることができるケース体と、該ケース体を備えたコネクタを提供する。【解決手段】コネクタ１はコネクタハウジング１２とケース体としてのコネクタ用電線カバー１３を備えている。コネクタ用電線カバー１３はコネクタハウジング１２に取り付けられる。コネクタ用電線カバー１３は部材としての一対のカバー部材３９ｃ，３９ｄを備えている。一方のカバー部材３９ｃは突起５２を備えている。他方のカバー部材３９ｄは突起５２に係止する係止アーム５３を備えている。カバー部材３９ｃ，３９ｄは突起５２と係止アーム５３とを囲む囲い壁５７，５８を備えている。【選択図】図９
2006073327.tif 000002
【特許請求の範囲】
【請求項１】
第１の壁を備えた第１の部材と、第２の壁を備えた第２の部材と、を備え、前記第１の壁と第２の壁とが平行な状態で前記第１の部材と前記第２の部材とを固定するケース体において、
前記第１の部材は、前記第１の壁から凸の突起を備え、
前記第２の部材は、前記第２の壁に連なりかつ前記突起に係止する可撓性の係止アームを備え、
前記第１の壁と第２の壁とのうち少なくとも一方から凸で、かつ前記係止アームと前記突起とを囲む囲い壁を備えたことを特徴とするケース体。
【請求項２】
前記囲い壁に切欠きを形成したことを特徴とする請求項１記載のケース体。
【請求項３】
前記切欠きを、前記囲い壁の前記突起より前記第２の部材から離れた箇所に設けたことを特徴とする請求項２記載のケース体。
【請求項４】
前記係止アームが、前記突起上に位置して一旦弾性変形した後、前記突起を乗り越えて中立状態に復帰して、前記突起に係止することで、前記第１の部材と前記第２の部材とが互いに固定されるとともに、
前記囲い壁の前記第１の壁と前記第２の壁からの高さは、前記突起上に位置して弾性変形している前記係止アームの前記第２の壁からの高さより高いことを特徴とする請求項１ないし請求項３のうちいずれか一項に記載のケース体。
【請求項５】
請求項１ないし請求項４のうちいずれか一項に記載のケース体と、
コネクタハウジングとを備えたコネクタにおいて、
前記ケース体は、前記コネクタハウジングに取り付けられて該コネクタハウジング内の端子金具に取り付けられた電線の外周を覆うことを特徴とするコネクタ。
【発明の詳細な説明】
【技術分野】
【０００１】
本発明は、電線の接続等に使用されるコネクタハウジングに取り付けられるコネクタ用電線カバーなどのケース体及び該ケース体を備えたコネクタに関する。
【背景技術】
【０００２】
移動体としての自動車には、搭載される種々のランプや種々のモータなどの電子機器にバッテリなどの電源から電力を供給するためにワイヤハーネスが配索されている。前記ワイヤハーネスは、複数の電線と、これらの電線それぞれの端部に取り付けられたコネクタなどを備えている。
【０００３】
電線は、導電性の芯線と、絶縁性の被覆部とを備えた所謂被覆電線である。コネクタは、導電性の端子金具と、絶縁性のコネクタハウジングと、ケース体としてのコネクタ用電線カバーを備えている。端子金具は、導電性の板金を折り曲げて形成され、電線の端末に取り付けられて該電線の芯線と電気的及び機械的に接続する。
【０００４】
コネクタハウジングは、絶縁性の合成樹脂からなり箱状に形成されている。コネクタハウジングには、端子収容室が複数設けられている。端子収容室は、コネクタハウジングを貫通した空間である。端子収容室は、端子金具を収容する。
【０００５】
コネクタ用電線カバーは、一対の部材を備えている。これら一対の部材は、側方からみてコ字状に形成されている。一対の部材は、コネクタハウジングの電線が導出する端部を互いの間に挟み込む格好で、コネクタハウジングに取り付けられる。また、一対の部材には、互いに取り付けられると、前記端子金具に取り付けられた電線を外部に逃がす逃がし孔が形成されている。該逃がし孔は、一対の部材が互いに取り付けられると、一つの孔を構成する。則ち、一対の部材それぞれに逃がし孔の一部が設けられている。
【０００６】
さらに、一対の部材は、種々の部材取付構造（例えば、特許文献１参照）により、互いに取り付けられるようになっている。前述した部材取付構造は、一方の部材に設けられた突起と、他方の部材に設けられた係止アームとを備え、前記突起と前記係止アームとのうち一方が弾性変形することで、突起と係止アームとが互いに係止するようになっている。
【０００７】
前述した構成のコネクタは、以下のように組み立てられる。電線の端末に端子金具が取り付けられ、端子金具を端子収容室に挿入する。そして、前記突起と前記係止アームとを互いに係止させて、一対の部材同士を互いに取り付けて、コネクタ用電線カバーをコネクタハウジングに取り付ける。こうして組み立てられたコネクタを前述した電子機器のコネクタに嵌合するなどして、前述したワイヤハーネスを自動車に配索する。そして、ワイヤハーネスは、前述した電子機器に必要な信号や電力を供給する。
【特許文献１】特開２００３−２８１１３号公報
【発明の開示】
【発明が解決しようとする課題】
【０００８】
前述した一対の部材同士を取り付ける突起や係止アームに異物が接触すると、前記係止アームの前記突起への係止が外れてしまうことがあった。このように、従来の部材取付構造則ちコネクタ用電線カバーでは、一対の部材同士が不意に分離して、これらの部材則ちコネクタ用電線カバーがコネクタハウジングから不意に脱落する虞があった。このように、ケース体としてのコネクタ用電線カバーは、一対の部材同士が外れやすかった。
【０００９】
したがって、本発明の目的は、一対の部材同士を外れにくくすることができるケース体と、該ケース体を備えたコネクタを提供することにある。
【課題を解決するための手段】
【００１０】
前記課題を解決し目的を達成するために、請求項１に記載の本発明のケース体は、第１の壁を備えた第１の部材と、第２の壁を備えた第２の部材と、を備え、前記第１の壁と第２の壁とが平行な状態で前記第１の部材と前記第２の部材とを固定するケース体において、前記第１の部材は、前記第１の壁から凸の突起を備え、前記第２の部材は、前記第２の壁に連なりかつ前記突起に係止する可撓性の係止アームを備え、前記第１の壁と第２の壁とのうち少なくとも一方から凸で、かつ前記係止アームと前記突起とを囲む囲い壁を備えたことを特徴としている。
【００１１】
請求項２に記載の本発明のケース体は、請求項１に記載のケース体において、前記囲い壁に切欠きを形成したことを特徴としている。
【００１２】
請求項３に記載の本発明のケース体は、請求項２に記載のケース体において、前記切欠きを、前記囲い壁の前記突起より前記第２の部材から離れた箇所に設けたことを特徴としている。
【００１３】
請求項４に記載の本発明のケース体は、請求項１ないし請求項３のうちいずれか一項に記載のケース体において、前記係止アームが、前記突起上に位置して一旦弾性変形した後、前記突起を乗り越えて中立状態に復帰して、前記突起に係止することで、前記第１の部材と前記第２の部材とが互いに固定されるとともに、前記囲い壁の前記第１の壁と前記第２の壁からの高さは、前記突起上に位置して弾性変形している前記係止アームの前記第２の壁からの高さより高いことを特徴としている。
【００１４】
請求項５に記載の本発明のコネクタは、請求項１ないし請求項４のうちいずれか一項に記載のケース体と、コネクタハウジングとを備えたコネクタにおいて、前記ケース体は、前記コネクタハウジングに取り付けられて該コネクタハウジング内の端子金具に取り付けられた電線の外周を覆うことを特徴としている。
【００１５】
請求項１に記載された本発明のケース体によれば、突起と係止アームとを囲い壁が囲んでいる。このため、互いに係止した突起と係止アームに異物などが接触することを防止できる。
【００１６】
請求項２に記載された本発明のケース体によれば、囲い壁に切欠きを設けているので、切欠きを通して治具などを挿入することで、突起と係止アームとの係止を容易に外すことができる。
【００１７】
請求項３に記載された本発明のケース体によれば、切欠きを囲い壁の前記突起より第２の部材から離れた箇所に設けているので、切欠きを通して治具などを挿入することで、突起と係止アームとの係止をより容易に外すことができる。
【００１８】
請求項４に記載された本発明のケース体によれば、囲い壁の高さを、突起に乗り上げた係止アームの高さより高くしている。このため、係止アームが突起に完全に係止していない状態であっても、係止アームが囲い壁から露出することを防止でき、係止アームに異物が接触することを防止できる。
【００１９】
請求項５に記載された本発明のコネクタによれば、請求項１ないし請求項４のうちいずれか一項に記載のケース体を備えているので、該ケース体のカバー部材同士を取り付ける係止アームに異物が接触することを防止できる。
【発明の効果】
【００２０】
以上説明したように請求項１に記載の本発明は、互いに係止した突起と係止アームに異物などが接触することを防止できるので、係止アームの突起への係止が外れてしまうことを防止できる。したがって、第１の部材と第２の部材とが不意に外れることを防止できる。
【００２１】
請求項２に記載の本発明は、囲い壁に切欠きを設けているので、切欠きを通して治具などを挿入することで、突起と係止アームとの係止を容易に外すことができる。
【００２２】
請求項３に記載の本発明は、切欠きを囲い壁の前記突起より第２の部材から離れた箇所に設けているので、切欠きを通して治具などを挿入することで、突起と係止アームとの係止をより容易に外すことができる。又、切欠きを囲い壁の前記突起より第２の部材から離れた箇所に設けているので、切欠きを通して突起に係止した係止アームを容易に目視できる。したがって、突起に係止アームが係止しているか否かを容易に把握できる。
【００２３】
請求項４に記載の本発明は、係止アームが突起に完全に係止していない状態であっても、係止アームに異物が接触することを防止できる。これにより、係止アームの突起への係止が外れてしまうことを防止できる。したがって、第１の部材と第２の部材とが不意に外れることを防止できる。
【００２４】
請求項５に記載の本発明は、請求項１ないし請求項４のうちいずれか一項に記載のケース体を備えているので、係止アームの突起への係止が外れてしまうことを防止できる。したがって、第１の部材と第２の部材とが不意に外れることを防止できる。
【発明を実施するための最良の形態】
【００２５】
本発明の一実施形態にかかるコネクタ１を、図１ないし図１８に基づいて説明する。コネクタ１は、図１に示すように、相手側のコネクタ２と嵌合する。
【００２６】
相手側のコネクタ２は、図１に示すように、コネクタハウジング４と、複数の端子金具５とを備えている。コネクタハウジング４は、絶縁性の合成樹脂からなり有底筒状に形成されている。コネクタハウジング４は、図示しない印刷配線板に取り付けられる。また、コネクタハウジング４の内面には、コネクタ１と嵌合用の図示しないロック突起が設けられている。
【００２７】
端子金具５は、導電性の金属からなり棒状に形成されている。端子金具５は、側方からみてく字状をなすように、中央で屈曲されている。端子金具５は、一端部がコネクタハウジング４内に位置し、他端部が印刷配線板の導体パターンと電気的及び機械的に接続している。
【００２８】
コネクタ１は、図１に示すように、カバー６と、プレート状ハウジング７と、端子金具としての圧接端子８と、ケース体としてのコネクタ用電線カバー（以下、単に電線カバーという）１３とを備えている。なお、以下、図１中の矢印Ｘを幅方向、矢印Ｘと直交し図示しない印刷配線板の両面に平行な矢印Ｙを長手方向、矢印Ｘ，Ｙ双方と直交する矢印Ｚを厚み方向とする。
【００２９】
カバー６は、絶縁性の合成樹脂からなり、図１に示すように、プレート状則ち平板状に形成されている。カバー６には、相手側のコネクタ２と嵌合するロック部材９が取り付けられている。カバー６には、プレート状ハウジング７と係止するための係止部１０が設けられている。
【００３０】
プレート状ハウジング７は、図示例では一対設けられている。プレート状ハウジング７は、絶縁性の合成樹脂からなり、図１に示すように、プレート状則ち平板状に形成されている。プレート状ハウジング７は、圧接端子８を収容する複数の端子収容溝１５と、プレート状ハウジング７同士やカバー６と固定するための係止部１１とを備えている。
【００３１】
前述したカバー６と、プレート状ハウジング７とは、互いに平行に重なり、かつ、係止部１０，１１が互いに係止することで、合体する。合体した状態で、カバー６とプレート状ハウジング７とは、コネクタハウジング４に嵌合するコネクタハウジング１２を構成する。
【００３２】
また、コネクタハウジング１２則ちカバー６とプレート状ハウジング７とは、互いに合体すると、あたかも一体となるフランジ１４ａ，１４ｂを備えている。フランジ１４ａ，１４ｂは、コネクタハウジング１２の圧接端子８に圧接される後述する電線１９が導出する側の端部に設けられている。フランジ１４ａ，１４ｂは、コネクタハウジング１２を構成するカバー６及びプレート状ハウジング７の前述した端部の全周から前述した幅方向Ｘと厚み方向Ｚとに沿って、コネクタハウジング１２の外周に向かって延びている。
【００３３】
このため、カバー６及び図１中下方に位置する一方のプレート状ハウジング７から矢印Ｚに沿って突出したフランジ１４ａ，１４ｂは、圧接端子８の長手方向Ｙに対し直交（交差）する前述した幅方向Ｘに沿って直線状に延びている。
【００３４】
圧接端子８は、導電性の板金などからなる。圧接端子８は、図１に示すように、電気接触部１６と、電線接続部１７と、一対の係止ばね片１８を一体に備えている。電気接触部１６は、コネクタハウジング４，１２同士が嵌合すると、端子金具５の一端部と電気的及び機械的に接続する。電線接続部１７には、電線１９（図３などに示す）が圧接する（電気的及び機械的に接続する）。電線１９は、導電性の芯線と、該芯線を被覆した絶縁性の被覆部とを備えた所謂被覆電線である。係止ばね片１８は、端子収容溝１５の内面に係止する。
【００３５】
電線カバー１３は、図１ないし図６に示すように、カバー本体２０と、カバー部２１とを一体に備えている。カバー本体２０は、図５及び図６などに示すように、本体部２２と、取付部２３と、電線逃がし部２４と、補強リブ２５と、バンド取付部としての孔３６などを備えている。
【００３６】
本体部２２は、断面コ字状の箱状に形成されている。取付部２３は、図５中の手前側に位置する本体部２２の一端部に設けられている。取付部２３は、本体部２２の前述した一端部の外殻に沿って形成されており、図５及び図１２に示すように、互いに平行な一対の平行部２６と、該平行部２６の一端部同士を連結する連結部２７とを一体に備えて、コ字状に形成されている。平行部２６は、その長手方向が前述した圧接端子８の長手方向Ｙに対し直交（交差）する幅方向Ｘに沿って配される。平行部２６は、前記連結部２７より長い。
【００３７】
一対の平行部２６と連結部２７の内面には、該内面から凹の溝２８（図５中には、一方の平行部２６に形成された溝２８のみ示す）が形成されている。溝２８内には、前述したフランジ１４ａ，１４ｂが侵入可能である。平行部２６の内面に形成された溝２８は、平行部２６の長手方向則ち前述した幅方向Ｘに沿って直線状に延びている。
【００３８】
取付部２３は、一対の平行部２６間にコネクタハウジング１２を位置付けて、連結部２７を幅方向Ｘに沿ってコネクタハウジング１２に近づける。そして、取付部２３は、溝２８内にフランジ１４ａ，１４ｂを順に挿入して、幅方向Ｘに沿ってコネクタハウジング１２に対しスライドする。そして、取付部２３は、連結部２７の内面に設けられた溝２８内にフランジ１４ａ，１４ｂを位置付けて、カバー本体２０をコネクタハウジング１２に取り付ける。
【００３９】
電線逃がし部２４は、本体部２２の他端部に設けられている。電線逃がし部２４は、前述した幅方向Ｘに沿って延びた樋状に形成されている。電線逃がし部２４は、図１０に示すように、樋状の電線案内部２９と、一対の内縁突起３０と、一対の係止突起３１（図１１に示す）とを備えている。電線案内部２９は、前述した幅方向Ｘに直交（交差）する断面形状がＵ字状に形成されている。電線案内部２９は、底部が取付部２３寄りに配されている。
【００４０】
一対の内縁突起３０は、電線案内部２９の互いに相対する一対の内縁部３２（図１０に示す）から互いに近づく方向に突出している。則ち、内縁突起３０間の間隔は、電線案内部２９の互いに相対する一対の内縁部３２間の間隔より狭い。また、一対の内縁突起３０の互いに最も近づく（相対する）頂部３３は、図１０に示すように、曲面状に形成されている。
【００４１】
前述した一対の内縁突起３０は、互いに相対する方向に対し直交する方向（図２及び図１０などの矢印Ｋ）に沿って、互いの間に複数の電線１９則ち電線束（図１０及び図１１中に点線で示す）が通される。一対の内縁突起３０は、互いの間に複数の電線１９が通されることで、電線１９を電線逃がし部２４の電線案内部２９内に位置付ける。なお、前記矢印Ｋは、電線１９を電線案内部２９内に挿入する方向をなしている。
【００４２】
さらに、図１０に示すように、内縁突起３０より電線逃がし部２４の内側（前記矢印Ｋの下流側）に位置する第１の傾斜面３４と、内縁突起３０より電線逃がし部２４の外側（前記矢印Ｋの上流側）に位置する第２の傾斜面３５と、が設けられている。第１の傾斜面３４及び第２の傾斜面３５は、それぞれ、前記頂部３３と内縁部３２とに連なる。第１の傾斜面３４は、第２の傾斜面３５より前記矢印Ｋに対する傾きが大きい。則ち、第１の傾斜面３４は、第２の傾斜面３５より前記矢印Ｋに対し傾いている。
【００４３】
また、係止突起３１は、図１１に示すように、前記内縁突起３０より前記電線カバー１３が取り付けられるコネクタハウジング１２側に設けられている。係止突起３１は、前記内縁部３２から互いに近づく方向に突出している。
【００４４】
前述した電線逃がし部２４は、内縁突起３０間を通して複数の電線１９が挿入されることで、該複数の電線１９を束ねてカバー本体２０外則ち電線カバー１３外に導く。
【００４５】
補強リブ２５は、図４に示すように、前記本体部２２から凸に形成され、一端が前記電線逃がし部２４の電線案内部２９に連なり、他端が取付部２３に連なっている。図示例では、補強リブ２５は、一対設けられている。これら一対の補強リブ２５は、互いに平行である。
【００４６】
孔３６は、補強リブ２５を貫通している。孔３６は、前記電線逃がし部２４の電線案内部２９の外周に設けられている。孔３６は、内側に電線逃がし部２４の電線案内部２９に複数の電線１９を結束するバンド３７（図１５中に二点鎖線で示す）が挿入される。孔３６は、バンド３７が挿入されることで、該バンド３７を取り付ける。
【００４７】
また、前記カバー本体２０の後述するヒンジ４０寄りの端部２０ａには、図１０ないし図１４に示すように、取付部２３から電線逃がし部２４に亘って、支え突起３８が設けられている。支え突起３８は、本体部２２からコネクタハウジング１２の幅方向Ｘに沿って突出している。支え突起３８は、カバー部２１の後述する一対のカバー部材３９が互いに固定されて、該カバー部材３９がコネクタハウジング１２に取り付けられると、カバー部材３９のヒンジ４０寄りの端部３９ａと当接する。このとき、カバー部材３９のヒンジ４０寄りの端部３９ａは、支え突起３８より電線カバー１３の外側に位置する。このため、支え突起３８は、カバー部材３９のヒンジ４０寄りの端部３９ａを支えることとなる。
【００４８】
カバー部２１は、図７、図９、図１３及び図１４などに示すように、一対のカバー部材３９を備えている。カバー部材３９は、それぞれ、略平坦な平坦壁５０と、この平坦壁５０の外縁から立設した周壁５１とを備えている。これらのカバー部材３９は、ヒンジ４０を介して平坦壁５０がカバー本体２０に連結されている（連なっている）。一対のカバー部材３９は、ヒンジ４０を中心として、回転自在である。一対のカバー部材３９は、ヒンジ４０を中心として回転すると、前記ヒンジ４０から離れた側の端部３９ｂが、互いに接離する。ヒンジ４０は、前記カバー本体２０の取付部２３の平行部２６の連結部２７から離れた側の端に連なる本体部２２の縁に連なっている。
【００４９】
図７及び図９に示すように、一対のカバー部材３９のうちの図６中に下方に位置する一方のカバー部材３９（以下、符号３９ｃで示す）は、突起５２を備え、一対のカバー部材３９のうちの図６中に上方に位置する他方のカバー部材３９（以下、符号３９ｄで示す）は、係止アーム５３を備えている。なお、一方のカバー部材３９ｃは、本明細書に記した第１の部材をなしており、他方のカバー部材３９ｄは、本明細書に記した第２の部材をなしている。
【００５０】
突起５２は、一方のカバー部材３９ｃの図６中手前側に位置する周壁５１（以下、符号５１ａで示す）より該一方のカバー部材３９ｃの外方向に向かって凸に形成されている。突起５２の他方のカバー部材３９ｄ寄りの端部には、他方のカバー部材３９ｄに近づくのにしたがって突起５２の周壁５１ａからの突出量を徐々に減少させる傾斜面５４が設けられている。なお、一方のカバー部材３９ｃの図６中手前側に位置する周壁５１ａは、本明細書に記した第１の壁をなしている。
【００５１】
係止アーム５３は、他方のカバー部材３９ｄの図６中手前側に位置する周壁５１（以下、符号５１ｂで示す）に連なっている。係止アーム５３は、一対の平行アーム５５と、一つの連結アーム５６とを備えて、枠状に形成されている。平行アーム５５は、他方のカバー部材３９ｄの周壁５１ｂから一方のカバー部材３９ｃの周壁５１ａに向かって延在した棒状に形成されている。平行アーム５５は、互いに平行であるとともに、互いの間に前述した突起５２を位置付ける。連結アーム５６は、一対の平行アーム５５の前述した周壁５１ｂより離れた側の端部同士を連結した棒状に形成されている。
【００５２】
前述した係止アーム５３は、連結アーム５６が周壁５１ｂから接離するように、平行アーム５５が弾性変形自在となっている。則ち、係止アーム５３は、可撓性を有している。また、他方のカバー部材３９ｄの図６中手前側に位置する周壁５１ｂは、本明細書に記した第２の壁をなしている。
【００５３】
前述した構成の突起５２と、係止アーム５３は、一対のカバー部材３９ｃ，３９ｄの前述した端部３９ｂが互いに近づくと、連結アーム５６が傾斜面５４に当接する。そして、連結アーム５６が、傾斜面５４上を移動して、連結アーム５６が周壁５１ｂから離れる方向に、平行アーム５５則ち係止アーム５３が一旦弾性変形する。そして、連結アーム５６が、突起５２を乗り越えると、平行アーム５５則ち係止アーム５３が弾性変形していない中立状態に復帰して、連結アーム５６則ち係止アーム５３が突起５２に係止する。こうして、突起５２と係止アーム５３とは、一対のカバー部材３９ｃ，３９ｄを互いに固定する。すると、周壁５１ａ，５１ｂ同士は、互いに面一則ち平行になる。
【００５４】
また、前述したカバー部２１は、図７及び図９に示すように、前記第１の壁としての周壁５１ａと前記第２の壁としての周壁５１ｂとのそれぞれから該カバー部２１の外方向に向かって凸の囲い壁５７，５８を備えている。囲い壁５７，５８は、前述した突起５２に係止アーム５３が係止した状態則ちカバー部材３９ｃ，３９ｄが互いに固定された状態で、前述した突起５２と係止アーム５３を囲む。また、囲い壁５７，５８の周壁５１ａ，５１ｂからの高さＨは、図９中に二点鎖線で示すように、突起５２上に係止アーム５３の連結アーム５６が位置した状態で、該係止アーム５３の連結アーム５６の周壁５１ａ，５１ｂからの高さｈより高い。
【００５５】
さらに、図６ないし図９に示すように、一方のカバー部材３９ｃに設けられた囲い壁５７のうちの前記突起５２より前記他方のカバー部材３９ｄから離れた箇所５７ａには、該囲い壁５７を切り欠いた切欠き５９が設けられている。切欠き５９は、勿論、囲い壁５７，５８の内側と外側とを連通している。
【００５６】
一対のカバー部材３９ｃ，３９ｄは、取付部２３にコネクタハウジング１２が取り付けられた状態で、突起５２に係止アーム５３が係止すると、前記コネクタハウジング１２の電線１９が導出する側の端部を覆う。一対のカバー部材３９ｃ，３９ｄは、取付部２３にコネクタハウジング１２が取り付けられた状態で、突起５２に係止アーム５３が係止することで、コネクタハウジング１２に取り付けられる。
【００５７】
さらに、一対のカバー部材３９ｃ，３９ｄは、取付部２３にコネクタハウジング１２が取り付けられた状態で、突起５２に係止アーム５３が係止すると、図１１に示すように、ヒンジ４０寄りの端部３９ａが前記電線逃がし部２４の電線案内部２９内に侵入する。そして、一対のカバー部材３９ｃ，３９ｄは、図１０及び図１１に示すように、電線案内部２９とともに複数の電線１９則ち電線束（図１０及び図１１中に点線で示す）の外周を覆う。こうして、カバー部２１は、コネクタハウジング１２に取り付けられると、カバー本体２０と共に複数の電線１９の外周を覆う。
【００５８】
また、一対のカバー部材３９ｃ，３９ｄには、それぞれ、突起５２に係止アーム５３が係止すると、前記フランジ１４ａ，１４ｂが侵入する溝４２（図３などに示す）と、係止受け突起４３（図１１に示す）と、が設けられている。係止受け突起４３は、カバー部材３９ｃ，３９ｄのヒンジ４０寄りの端部３９ａに設けられている。則ち、係止受け突起４３は、カバー部材３９ｃ，３９ｄの電線案内部２９内に侵入する端部３９ａに設けられている。
【００５９】
係止受け突起４３は、図１３及び図１４に示すように、一対のカバー部材３９ｃ，３９ｄの突起５２への係止アーム５３の係止が解除された状態で、カバー部材３９ｃ，３９ｄの前述した端部３９ａから電線カバー１３の外方向に向かって凸に形成されている。さらに、係止受け突起４３は、取付部２３がコネクタハウジング１２に取り付けられかつ突起５２に係止アーム５３が係止すると、図１１に示すように、前述したカバー本体２０の係止突起３１と互いに係止する。
【００６０】
前述した構成のコネクタ１は、それぞれのプレート状ハウジング７の端子収容溝１５に圧接端子８を収容し、該圧接端子８に電線１９を圧接する。そして、カバー６と、二つのプレート状ハウジング７とを重ねて、係止部１０，１１により、これらを互いに固定する。すると、図３に示すように、コネクタハウジング１２の前述した端部から電線１９が導出している。
【００６１】
そして、前記幅方向Ｘに沿って、電線カバー１３をコネクタハウジング１２に近づいて、前記取付部２３の溝２８内にフランジ１４ａ，１４ｂを挿入する。このとき、カバー部２１の一対のカバー部材３９ｃ，３９ｄでは、突起５２に係止アーム５３が係止していない。さらに、孔３６内にバンド３７を通しておく。こうして、図２及び図３に示すように、取付部２３をコネクタハウジング１２に取り付ける。なお、図２では、圧接端子８に取り付けられた電線１９を省略している。
【００６２】
そして、図２中の矢印Ｋに沿って、電線逃がし部２４の一対の内縁突起３０間に複数の電線１９を圧入する。そして、図３に示すように、複数の電線１９を電線逃がし部２４の電線案内部２９内に位置付ける。その後、ヒンジ４０を中心として、一対のカバー部材３９ｃ，３９ｄを回転して、突起５２に係止アーム５３を係止させて、一対のカバー部材３９ｃ，３９ｄを互いに固定する。溝４２にフランジ１４ａ，１４ｂを挿入して、コネクタハウジング１２にカバー部２１のカバー部材３９則ち電線カバー１３を取り付ける。すると、電線カバー１３は、複数の電線１９則ち電線束の外周を覆い、電線逃がし部２４を通して、複数の電線１９則ち電線束を電線カバー１３外に導く。さらに、バンド３７で電線逃がし部２４の電線案内部２９内に通された複数の電線１９を結束する。こうして、図４に示すように、電線カバー１３をコネクタハウジング１２に取り付ける。このように、前述した構成のコネクタ１が組み立てられる。
【００６３】
また、突起５２への係止アーム５３の係止を解除して、電線カバー１３をコネクタハウジング１２から取り外す際には、図１６及び図１７に示すように、前述した切欠き５９を通して、囲い壁５７，５８内に治具６０を挿入する。そして、該治具６０などを用いて、係止アーム５３の突起５２への係止を解除する（外す）。
【００６４】
本実施形態によれば、突起５２と係止アーム５３とを囲い壁５７，５８が囲んでいる。このため、互いに係止した突起５２と係止アーム５３に異物などが接触することを防止できる。これにより、係止アーム５３の突起５２への係止が外れてしまうことを防止できる。したがって、一対のカバー部材３９ｃ，３９ｄ同士が不意に外れることを防止できる。
【００６５】
囲い壁５７に切欠き５９を設けているので、切欠き５９を通して治具６０などを囲い壁５７，５８内に挿入することで、突起５２と係止アーム５３との係止を容易に外すことができる。
【００６６】
また、切欠き５９を囲い壁５７の前記突起５２より他方のカバー部材３９ｄから離れた箇所５７ａに設けているので、切欠き５９を通して治具６０などを挿入することで、突起５２と係止アーム５３との係止をより容易に外すことができる。又、切欠き５９を囲い壁５７の突起５２より他方のカバー部材３９ｄから離れた箇所５７ａに設けているので、切欠き５９を通して突起５２に係止した係止アーム５３を容易に目視できる。したがって、突起５２に係止アーム５３が係止しているか否かを容易に把握できる。
【００６７】
囲い壁５７，５８の高さＨを、突起５２に乗り上げた係止アーム５３の連結アーム５６の高さｈより高くしている。このため、係止アーム５３が突起５２に完全に係止していない状態であっても、係止アーム５３が囲い壁５７，５８から露出することを防止でき、係止アーム５３に異物が接触することを防止できる。これにより、係止アーム５３の突起５２への係止が外れてしまうことを防止できる。したがって、一対のカバー部材３９ｃ，３９ｄ同士が不意に外れることを防止できる。
【００６８】
電線１９を電線カバー１３外に逃がす樋状の電線逃がし部２４が、カバー本体２０に設けられている。このため、電線逃がし部２４が複数の部材により分割されていない。これにより、電線１９などから電線逃がし部２４が押圧されても、カバー本体２０則ち電線カバー１３がコネクタハウジング１２に取り付けられたままとなる。したがって、カバー本体２０則ち電線カバー１３がコネクタハウジング１２から脱落することを防止できる。
【００６９】
電線１９を電線逃がし部２４の電線案内部２９に出し入れする際に互いの間に電線１９が通される内縁突起３０の頂部３３が曲面に形成されている。このため、電線１９を内縁突起３０間に通す際に、則ち、電線１９を電線案内部２９内に挿入する際に、電線１９が内縁突起３０に接触しても、該電線１９が傷つくことを防止できる。したがって、電線１９の不意な破損を防止できる。
【００７０】
電線逃がし部２４の内側に位置する第１の傾斜面３４が外側に位置する第２の傾斜面３５より、矢印Ｋに対し傾いているので、電線案内部２９に挿入された電線１９が、内縁突起３０間を通って、電線逃がし部２４外に抜け出ることを防止できる。したがって、電線カバー１３をコネクタハウジング１２に取り付ける際に、電線１９がカバー部材３９ｃ，３９ｄの突起５２と係止アーム５３との係止する作業の妨げになることを防止できる。
【００７１】
また、第２の傾斜面３５が、第１の傾斜面３４より矢印Ｋに対し傾いていないので、内縁突起３０間を通して電線１９を電線逃がし部２４の電線案内部２９内に挿入し易くなっている。したがって、電線カバー１３をコネクタハウジング１２に容易に取り付けることができる。
【００７２】
カバー部２１のカバー部材３９ｃ，３９ｄの突起５２に係止アーム５３を係止して、該カバー部材３９ｃ，３９ｄをコネクタハウジング１２に取り付けると、該カバー部材３９ｃ，３９ｄが電線逃がし部２４とともに電線１９の外周を覆う。このため、カバー部２１のカバー部材３９ｃ，３９ｄをコネクタハウジング１２に取り付けると、電線１９が電線逃がし部２４内から抜け出ることを防止できる。
【００７３】
カバー部材３９ｃ，３９ｄの突起５２に係止アーム５３を係止して、カバー部２１をコネクタハウジング１２に取り付けると、カバー本体２０に設けられた支え突起３８にカバー部材３９ｃ，３９ｄが重なる。このため、カバー部材３９ｃ，３９ｄ同士が必要以上に近づくことを防止できる。これにより、コネクタハウジング１２に取り付けられた時の電線カバー１３の過度な変形を防止できる。したがって、電線カバー１３が、コネクタハウジング１２に取り付けられた際に変形して、コネクタハウジング１２から不意に脱落することを防止できる。
【００７４】
取付部２３が平行部２６と連結部２７とを備えてコ字状に形成されており、コネクタハウジング１２内の圧接端子８の長手方向Ｙに直交（交差）する幅方向Ｘに沿ってスライドすることでカバー本体２０をコネクタハウジング１２に取り付ける。取付部２３がコ字状に形成されているので、取付部２３則ちカバー本体２０を確実にコネクタハウジング１２に取り付けることができる。
【００７５】
平行部２６が連結部２７より長いので、取付部２３則ちカバー本体２０をより確実にコネクタハウジング１２に取り付けることができるとともに、コネクタハウジング１２に取り付けられたカバー本体２０が不意に脱落することを確実に防止できる。
【００７６】
また、コネクタハウジング１２内の圧接端子８の長手方向Ｙに直交（交差）する幅方向Ｘに沿ってスライドすることで電線カバー１３のカバー本体２０をコネクタハウジング１２に取り付ける。このため、電線逃がし部２４から図４中の手前側に電線１９を逃がすように、電線カバー１３をコネクタハウジング１２に取り付けることができるとともに、電線逃がし部２４から図１８中の奥側に電線１９を逃がすように、電線カバー１３をコネクタハウジング１２に取り付けることができる。
【００７７】
カバー本体２０が電線逃がし部２４と取付部２３とに連なる補強リブ２５を備えている。このため、カバー本体２０の剛性を高めることができる。これにより、カバー本体２０の過度な変形を防止して、カバー本体２０則ち電線カバー１３がコネクタハウジング１２から不意に脱落する事を防止できる。
【００７８】
電線逃がし部２４の外周にバンド３７を取り付ける孔３６を設けている。このため、バンド３７をカバー本体２０に取り付けたままカバー本体２０則ち電線カバー１３をコネクタハウジング１２に着脱できる。このため、バンド３７により電線逃がし部２４の電線案内部２９に通された複数の電線１９を容易に結束できる。また、バンド３７を取り付ける孔３６を補強リブ２５に設けているので、電線カバー１３の小型化を図ることができる。
【００７９】
前述した実施形態では、ケース体としての電線カバー１３を示している。しかしながら、本発明では、コネクタハウジング１２に取り付けられる電線カバー１３に限らず互いに取り付けられる一対のカバー部材を備えた種々のケース体に適用しても良いことは勿論である。
【００８０】
また、前述した実施形態では、囲い壁５７，５８を一対のカバー部材３９ｃ，３９ｄ双方に設けている。しかしながら、本発明では、囲い壁５７，５８をカバー部材３９ｃのみに設けても良く、囲い壁５７，５８をカバー部材３９ｄのみに設けても良い。要するに、本発明では、囲い壁５７，５８を、一対のカバー部材３９ｃ，３９ｄのうち少なくとも一方に設ければ良い。さらに、治具６０で突起５２と係止アーム５３との係止を解除できるのであれば、切欠き５９を前述した箇所５７ａ以外に設けても良い。
【００８１】
前述した実施形態では、端子金具として、電線１９と圧接する圧接端子８を示している。さらに、前記圧接端子８は、所謂雌形の端子金具となっている。しかしながら、本発明では、端子金具として、電線１９を加締める加締め片を複数備えた所謂圧着端子を用いても良く、雄形の端子金具を用いても良い。
【００８２】
また、前述した実施形態では、コネクタハウジング１２は、カバー６と一対のプレート状ハウジング７とで構成されている。しかしながら、本発明では、コネクタハウジング１２は、箱形でかつ一体の雄形のコネクタハウジングでも良く、筒状でかつ一体の雌形のコネクタハウジングでも良い。
【００８３】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８４】
【図１】本発明の一実施形態にかかるコネクタを分解して示す斜視図である。
【図２】図１に示されたコネクタのコネクタハウジングに電線カバーのカバー本体を取り付けた状態を示す斜視図である。
【図３】図２に示された電線カバーの電線逃がし部の電線案内部内に複数の電線を通した状態を示す斜視図である。
【図４】図３に示された電線カバーのカバー部のカバー部材の突起と係止アームとを互いに係止した状態を示す斜視図である。
【図５】図１に示されたコネクタの電線カバーのカバー部のカバー部材の突起と係止アームとを互いに係止した状態を示す斜視図である。
【図６】図１に示されたコネクタの電線カバーのカバー部のカバー部材の突起と係止アームとを互いに係止した状態を示す他の斜視図である。
【図７】図６中の矢印ＶＩＩ方向からみた電線カバーの側面図である。
【図８】図６中の矢印ＶＩＩＩ方向からみた電線カバーの底面図である。
【図９】図６中のＩＸ−ＩＸ線に沿う断面図である。
【図１０】図５中の矢印Ｘ方向からみた電線カバーの側面図である。
【図１１】図５中のＸＩ−ＸＩ線に沿う断面図である。
【図１２】図５中の矢印ＸＩＩ方向からみた電線カバーの側面図である。
【図１３】図１０に示された電線カバーのカバー部材の突起と係止アームとの係止を解除した状態を示す側面図である。
【図１４】図１２に示された電線カバーのカバー部材の突起と係止アームとの係止を解除した状態を示す側面図である。
【図１５】図１４に示された電線カバーの孔にバンドを通した状態を示す斜視図である。
【図１６】図６に示された電線カバーと、突起と係止アームとの係止を解除する治具とを示す他の斜視図である。
【図１７】図９に示された電線カバーと、突起と係止アームとの係止を解除する治具とを示す断面図である。
【図１８】図３に示された電線カバーのカバー部のカバー部材の突起と係止アームとを互いに係止した他の状態を示す斜視図である。
【符号の説明】
【００８５】
１  コネクタ
８  圧接端子（端子金具）
１２  コネクタハウジング
１３  コネクタ用電線カバー（ケース体）
１９  電線
３９ｃ  一方のカバー部材（第１の部材）
３９ｄ  他方のカバー部材（第２の部材）
５１ａ  周壁（第１の壁）
５１ｂ  周壁（第２の壁）
５２  突起
５３  係止アーム
５７，５８  囲い壁
５７ａ  箇所
５９  切欠き
Ｈ  囲い壁の高さ
ｈ  係止アームの高さ
【図１】
2006073327.tif 000003
【図２】
2006073327.tif 000004
【図３】
2006073327.tif 000005
【図４】
2006073327.tif 000006
【図５】
2006073327.tif 000007
【図６】
2006073327.tif 000008
【図７】
2006073327.tif 000009
【図８】
2006073327.tif 000010
【図９】
2006073327.tif 000011
【図１０】
2006073327.tif 000012
【図１１】
2006073327.tif 000013
【図１２】
2006073327.tif 000014
【図１３】
2006073327.tif 000015
【図１４】
2006073327.tif 000016
【図１５】
2006073327.tif 000017
【図１６】
2006073327.tif 000018
【図１７】
2006073327.tif 000019
【図１８】
2006073327.tif 000020